(57)【要約】【課題】  それぞれ異なる周波数帯域を割り当てられた複数の通信規格に基づく複数の通信を行うための複数の通信部を備えた通信装置において、当該複数の通信部のうちの１つまたは複数を任意に選択して容易に通信を行うことを可能とするか、あるいは、通信に使用しない通信部の電力消費を低減する。【解決手段】  無線制御手段１１が、ある周波数帯域を割り当てられた通信規格に基づく通信の開始を要求する通信開始信号を、給電されている通信部から受信すると、電源管理部１２に、当該周波数帯域を割り当てられた通信規格に対応した通信部への電力の供給を開始させる。あるいは、無線制御手段１１が、同様に、通信の停止を要求する通信停止信号を受信すると、電源管理部１２に、当該周波数帯域を割り当てられた通信規格に対応した通信部への電力の供給を停止させる。【選択図】      図１
2015159475.tif 000002
【特許請求の範囲】
【請求項１】
複数の帯域に対応する複数のアンテナと、
前記アンテナそれぞれに対応する通信部と、
前記通信部に対し個別に給電可能な管理部と、
特定のアンテナに対応する通信部に給電している状態において、指示信号を取得すると、前記指示信号に基づいて、前記管理部に他のアンテナに対応する通信部に対し給電を行わせる制御手段と
を備える通信装置。
【請求項２】
前記指示信号は、前記給電を開始する信号である、請求項１に記載の通信装置。
【請求項３】
複数の帯域に対応する複数のアンテナと、
前記アンテナそれぞれに対応する通信部と、
前記通信部に対し個別に給電可能な管理部と、
特定のアンテナに対応する通信部に給電している状態において、指示信号を取得すると、前記指示信号に基づいて、前記管理部に他のアンテナに対応する通信部に対し給電の停止を行わせる制御手段と
を備える通信装置。
【請求項４】
前記指示信号は、前記給電を停止する信号である、請求項３に記載の通信装置。
【請求項５】
前記指示信号は、前記制御手段より送出指示を受けた信号である、請求項１乃至４のいずれかに記載の通信装置。
【請求項６】
前記指示信号は、前記アンテナより取得した信号である、請求項１乃至４のいずれかに記載の通信装置。
【請求項７】
前記制御手段は、前記管理部を制御し、予め定めた時間の間通信を行っていない前記通信部に対し、前記管理部に給電の停止を行わせる、請求項１乃至６のいずれかに記載の通信装置。
【請求項８】
前記管理部から給電されている前記通信部のうち、少なくとも２つの前記通信部から、それぞれ異なるデータまたは同一のデータを送信する、請求項１乃至７のいずれかに記載の通信装置。
【請求項９】
複数の帯域に対応する複数の第１のアンテナと、
前記アンテナそれぞれに対応する第１の通信部と、
前記第１の通信部に対し個別に給電可能な第１の管理部と、
特定の帯域を指定する指示信号の送信を、前記第１の管理部から給電されている前記第１の通信部に行わせるとともに、当該帯域に対応する前記第１のアンテナに対応する前記第１の通信部への給電を前記第１の管理部に行わせる第１の制御手段と
を含む第１の通信装置と、
複数の帯域に対応する複数の第２のアンテナと、
前記アンテナそれぞれに対応する第２の通信部と、
前記第２の通信部に対し個別に給電可能な第２の管理部と、
前記指示信号を送信した前記第１の通信部に対応する前記第２の通信部により受信された前記指示信号により指定される前記帯域に対応する前記第２の通信部への給電を前記第２の管理部に行わせる第２の制御手段と
を含む第２の通信装置と、
から構成される通信システム。
【請求項１０】
複数の帯域に対応する複数の第１のアンテナと、
前記アンテナそれぞれに対応する第１の通信部と、
前記通信部に対し個別に給電可能な第１の管理部と、
特定の帯域を指定する指示信号の送信を、前記第１の管理部から給電されている前記第１の通信部に行わせるとともに、当該帯域に対応する前記第１のアンテナに対応する前記第１の通信部への給電の停止を前記第１の管理部に行わせる第１の制御手段と
を含む第１の通信装置と、
複数の帯域に対応する複数の第２のアンテナと、
前記アンテナそれぞれに対応する第２の通信部と、
前記通信部に対し個別に給電可能な第２の管理部と、
前記指示信号を送信した前記第１の通信部に対応する前記第２の通信部により受信された前記指示信号により指定される前記帯域に対応する前記第２の通信部への給電の停止を前記第２の管理部に行わせる第２の制御手段と
を含む第２の通信装置と、
から構成される通信システム。
【発明の詳細な説明】
【技術分野】
【０００１】
本発明は、通信装置および通信システムに関し、特に、複数の通信部を備えた通信装置および通信システムに関する。
【背景技術】
【０００２】
ルータ等の通信装置と、通信機能を備えたパーソナルコンピュータやタブレットコンピュータ等の端末や他の通信装置とを無線で接続するために、例えば無線ＬＡＮ（Ｌｏｃａｌ  Ａｒｅａ  Ｎｅｔｗｏｒｋ）などの様々な技術が知られている。
【０００３】
特許文献１には、通信装置と端末装置との間でそれぞれ異なる周波数帯を用いた２つの無線リンクを確立しておき、通常は、これらの無線リンクのいずれか一方を用いてデータ伝送を行い、当該無線リンクの電波状態が悪化して当該無線リンクの切断が発生した場合には、他方の無線リンクを用いてデータ伝送を継続する技術が記載されている。
【０００４】
特許文献２には、無線基地局と携帯端末との間でそれぞれ異なる周波数帯域が割り当てられた複数のチャンネルを同時に使用して無線通信をする技術について記載されている。
【０００５】
特許文献３には、無線基地局装置と端末装置との無線通信で使用する通信回線に複数の周波数帯域を割り当て可能な場合、無線基地局装置が、複数の端末装置との無線通信に使用する各通信回線に対して効率的に周波数帯域を割り当てる技術が記載されている。
【０００６】
また、特許文献４には、無線ＬＡＮ通信において、無線子機が親機に接続するときに、当該無線子機に最適な設定情報（再送回数や暗号化設定等）を有するＳＳＩＤ（「Ｓｅｒｖｉｃｅ  Ｓｅｔ  Ｉｄｅｎｔｉｆｉｅｒ」の略称）を使用する技術が記載されている。
【０００７】
また、特許文献５には、無線電話システムにおいて、無線子機に接続された複数の電話機が無線親機を介して同時に公衆電話網に接続する技術が記載されている。
【先行技術文献】
【特許文献】
【０００８】
【特許文献１】特開２００６−３４５１５８号公報
【特許文献２】特開２００４−２２９０８７号公報
【特許文献３】再特ＷＯ２０１０／１３７２５９号公報
【特許文献４】特開２０１３−１３１９９３号公報
【特許文献５】特開２０００−１２５３４８号公報
【発明の概要】
【発明が解決しようとする課題】
【０００９】
無線通信技術における周波数帯域の切り替えは前述の特許文献で知られている。一方で、ある周波数帯域での通信を希望する場合に、その通信を容易に有効化したいという要望がある。
【００１０】
また、消費電力の問題がある。たとえば、特許文献１記載の技術では、一方の無線リンクを使用したデータ伝送から、他方の無線リンクを使用したデータ伝送に即座に切り替えることができるように、他方の無線リンクを使用していない場合にも、当該他方の無線リンクを確立しておく必要があり、そのための電力が通信装置および端末装置で余計に消費されるという問題点がある。
【００１１】
同様に、特許文献２乃至５のいずれにも、それぞれ異なる周波数帯を使用する複数の通信回線による通信を行うための複数の通信部を有する通信装置において、当該複数の通信部のうちの１つまたは複数を任意に選択して容易に通信を行うことを可能とする点、また、通信に使用していない通信部への電力の供給を停止する点のいずれも明記されていない。
【００１２】
本発明の目的は、上述した問題点、すなわち、通信を容易に有効化したいという課題と消費電力を削減したいという課題のうちの少なくとも一方を解決できる通信装置および通信システムを提供することにある。
【課題を解決するための手段】
【００１３】
本発明の第１の通信装置は、
複数の帯域に対応する複数のアンテナと、
前記アンテナそれぞれに対応する通信部と、
前記通信部に対し個別に給電可能な管理部と、
特定のアンテナに対応する通信部に給電している状態において、指示信号を取得すると、前記指示信号に基づいて、前記管理部に他のアンテナに対応する通信部に対し給電を行わせる制御手段と
を備える。
【００１４】
さらに、本発明の第２の通信装置は、
複数の帯域に対応する複数のアンテナと、
前記アンテナそれぞれに対応する通信部と、
前記通信部に対し個別に給電可能な管理部と、
特定のアンテナに対応する通信部に給電している状態において、指示信号を取得すると、前記指示信号に基づいて、前記管理部に他のアンテナに対応する通信部に対し給電の停止を行わせる制御手段と
を備える。
【００１５】
また、本発明の第１の通信システムは、
複数の帯域に対応する複数の第１のアンテナと、
前記アンテナそれぞれに対応する第１の通信部と、
前記第１の通信部に対し個別に給電可能な第１の管理部と、
特定の帯域を指定する指示信号の送信を、前記第１の管理部から給電されている前記第１の通信部に行わせるとともに、当該帯域に対応する前記第１のアンテナに対応する前記第１の通信部への給電を前記第１の管理部に行わせる第１の制御手段と
を含む第１の通信装置と、
複数の帯域に対応する複数の第２のアンテナと、
前記アンテナそれぞれに対応する第２の通信部と、
前記第２の通信部に対し個別に給電可能な第２の管理部と、
前記指示信号を送信した前記第１の通信部に対応する前記第２の通信部により受信された前記指示信号により指定される前記帯域に対応する前記第２の通信部への給電を前記第２の管理部に行わせる第２の制御手段と
を含む第２の通信装置と、
から構成される。
【００１６】
さらに、本発明の第２の通信システムは、
複数の帯域に対応する複数の第１のアンテナと、
前記アンテナそれぞれに対応する第１の通信部と、
前記通信部に対し個別に給電可能な第１の管理部と、
特定の帯域を指定する指示信号の送信を、前記第１の管理部から給電されている前記第１の通信部に行わせるとともに、当該帯域に対応する前記第１のアンテナに対応する前記第１の通信部への給電の停止を前記第１の管理部に行わせる第１の制御手段と
を含む第１の通信装置と、
複数の帯域に対応する複数の第２のアンテナと、
前記アンテナそれぞれに対応する第２の通信部と、
前記通信部に対し個別に給電可能な第２の管理部と、
前記指示信号を送信した前記第１の通信部に対応する前記第２の通信部により受信された前記指示信号により指定される前記帯域に対応する前記第２の通信部への給電の停止を前記第２の管理部に行わせる第２の制御手段と
を含む第２の通信装置と、
から構成される。
【発明の効果】
【００１７】
本発明には、それぞれ異なる周波数帯域を割り当てられた複数の通信規格に基づく複数の通信を行うための複数の通信部を備えた通信装置において、当該複数の通信部のうちの１つまたは複数を任意に選択して通信を行うことが容易にできるか、あるいは、通信に使用しない通信部の電力消費を低減できるという効果がある。
【図面の簡単な説明】
【００１８】
【図１】図１は、本発明の第１の実施形態を示すブロック図である。
【図２】図２は、本発明の第２の実施形態を示すブロック図である。
【図３】図３は、本発明の第２の実施形態における、それぞれ異なる複数の周波数帯域を割り当てられた複数の通信規格に基づく複数の通信を開始する処理の動作を示すフローチャートである。
【図４】図４は、本発明の第２の実施形態における、それぞれ異なる複数の周波数帯域を割り当てられた複数の通信規格に基づく複数の通信中に、ある一つの周波数帯域の通信を停止させる処理の動作を示すフローチャートである。
【発明を実施するための形態】
【００１９】
次に、本発明の実施形態について図面を参照して詳細に説明する。
【００２０】
［第１の実施形態］
図１は本発明の第１の実施形態を示すブロック図である。
【００２１】
図１を参照すると、本実施形態は、複数のアンテナ１６乃至１８と、該複数のアンテナのそれぞれに対応した通信部１３乃至１５と、無線制御手段１１と、電源管理部１２とを含む、通信装置１０から構成される。
【００２２】
複数のアンテナ１６乃至１８は、複数の帯域に対応する。アンテナ１６乃至１８は、それぞれ第１乃至第３の通信部１３乃至１５に接続される。
【００２３】
第１の通信部１３は、第１の所定の周波数帯域を割り当てられた通信規格に基づく通信を行う機能を有する。
【００２４】
第２の通信部１４は、第２の所定の周波数帯域を割り当てられた通信規格に基づく通信を行う機能を有する。
【００２５】
第３の通信部１５は、第３の所定の周波数帯域を割り当てられた通信規格に基づく通信を行う機能を有する。
【００２６】
電源管理部１２は、第１乃至第３の通信部１３乃至１５に対し、個別に給電可能である管理手段に対応する。電源管理部１２は、商用電源から電力を供給され、無線制御手段１１の指示により、第１乃至第３の通信部１３乃至１５のそれぞれへの電力の供給または停止を行う。
【００２７】
無線制御手段１１は、特定のアンテナに対応する通信部に給電している状態において、指示信号を取得すると、その指示信号に基づいて、電源管理部１２に他のアンテナに対応する通信部に対し給電を行わせる。
【００２８】
次に、本実施形態の動作について説明する。  まず、通信装置１０に電源が投入されると、電源管理部１２は、所定の通信部である第１の通信部１３のみに電力を供給し、第２および第３の通信部１４および１５には電力を供給しない。
【００２９】
今、アンテナ１６に対応した第１の通信部１３を介して無線制御手段１１が、上記第２の所定の周波数帯域を割り当てられた通信規格に基づく通信の開始を要求する通信開始信号を受信すると、当該通信開始信号を受信した無線制御手段１１は、電源管理部１２に第２の通信部１４への電力の供給を開始させる。
【００３０】
この結果、通信装置１０は、アンテナ１７に対応した第２の通信部１４を介して、上記第２の所定の周波数帯域を割り当てられた通信規格に基づく通信も行われるようになる。
【００３１】
こうして、通信装置１０は、上記第１の所定の周波数帯域を割り当てられた通信規格に基づく通信および上記第２の所定の周波数帯域を割り当てられた通信規格に基づく通信が同時に行われるようになる。
【００３２】
次に、通信装置１０が、上記第１の所定の周波数帯域を割り当てられた通信規格に基づく通信と上記第２の所定の周波数帯域を割り当てられた通信規格に基づく通信と上記第３の所定の周波数帯域を割り当てられた通信規格に基づく通信を行っているものとする。
【００３３】
今、アンテナ１６に対応した第１の通信部１３を介して無線制御手段１１が、上記第２の所定の周波数帯域を割り当てられた通信規格に基づく通信の停止を要求する通信停止信号を受信すると、当該通信停止信号を受信した無線制御手段１１は、電源管理部１２に第２の通信部１４への電力の供給を停止させる。
【００３４】
この結果、通信装置１０は、上記第１の所定の周波数帯域を割り当てられた通信規格に基づく通信および上記第３の所定の周波数帯域を割り当てられた通信規格に基づく通信のみが行われるようになる。
【００３５】
また、無線制御手段１１が、電力が供給されている各通信部での通信状況を監視し、所定の時間、ある通信部を介した通信が行われていないことを検出した場合には、当該通信部への電力の供給を停止するよう電源管理部１２に指示するようにしてもよい。
【００３６】
なお、本実施形態で、同時に行われる複数の通信（それぞれ異なる周波数帯域を割り当てられた複数の通信規格に基づく複数の通信）で送信するデータは、相互に異なっていても良いし、同一であっても良い。異なるデータを同時送信した場合には、単位時間当たりの情報の伝達量が増えるため、実質的に通信の高速化が達成される。また、同一のデータを同時送信した場合には、受信側の通信装置で、受信した各データを比較し、それらのデータが一致しないときには、当該データの再送を送信側の通信装置に要求することにより、通信の高品質化が達成される。
【００３７】
以上、本実施形態では、それぞれ異なる周波数帯域を割り当てられた複数の通信規格に基づく複数の通信を行うための複数の通信部を備えた通信装置において、当該複数の通信部のうちの１つまたは複数を任意に選択して通信を行うことが可能である。また、ある周波数帯域での通信が必要なときに、その通信を容易に有効化することができる。その理由は、無線制御手段１１が、ある周波数帯域を割り当てられた通信規格に基づく通信の開始を要求する通信開始信号を、給電されている通信部から受信し、電源管理部１２に、当該周波数帯域を割り当てられた通信規格に対応した通信部への電力の供給を開始させるからである。
【００３８】
また、本実施形態では、通信に使用していない通信部の電力消費を低減できるという効果がある。その理由は、無線制御手段１１が、ある周波数帯域を割り当てられた通信規格に基づく通信の停止を要求する通信停止信号を、給電されている通信部から受信すると、電源管理部１２に、当該周波数帯域を割り当てられた通信規格に対応した通信部への電力の供給を停止させるようにしたからである。
【００３９】
一方で、日本国内において、無線ＬＡＮ通信の特定の周波数帯域は、屋外使用する場合、無線ＬＡＮ通信以外の他の電波との干渉が生じるため利用制限がかけられている。それに対し屋内で使用する場合はそのような利用制限は、病院等の電波障害の影響を受けやすい施設を除き、無い。そのため、屋内および屋外の両方で利用可能な可搬型の無線通信装置では、当該無線通信装置が屋内にあるか、または屋外にあるかに応じて利用可能な周波数帯域を容易に選択可能としたいという要望がある。
【００４０】
この要望に対して、本実施形態は、利用者が希望する周波数帯域を割り当てられた通信規格に基づく通信の開始を要求する通信開始信号を、給電されている通信部から受信し、電源管理部１２に、当該周波数帯域を割り当てられた通信規格に対応した通信部への電力の供給を開始させることにより、屋内外で利用可能な周波数帯域を容易に選択可能とする。
【００４１】
［第２の実施形態］
次に、本発明の第２の実施形態について説明する。
【００４２】
図２は、第２の実施形態を示すブロック図である。
【００４３】
図２を参照すると、本実施形態は、第１の通信装置１００と、第２の通信装置２００とから構成される。
【００４４】
第１の通信装置１００は、第１の無線制御手段１０１と、第１の電源管理部１０２と、第１の通信部１０３と、第２の通信部１０４と、第３の通信部１０５とを含む。
【００４５】
第２の通信装置２００は、第２の無線制御手段２０１と、第２の電源管理部２０２と、第４の通信部２０３と、第５の通信部２０４と、第６の通信部２０５とを含む。
【００４６】
第１の電源管理部１０２は、商用電源から電力を供給され、第１の無線制御手段１０１の指示により、第１乃至第３の通信部１０３乃至１０５のそれぞれへの電力の供給または停止を行う。
【００４７】
第１の通信部１０３は、第１の所定の周波数帯域（例えば、２．４ＧＨｚ（ギガヘルツ）帯域）を割り当てられた通信規格に基づく通信を行う機能を有する。
【００４８】
第２の通信部１０４は、第２の所定の周波数帯域（例えば、５ＧＨｚ帯域）を割り当てられた通信規格に基づく通信を行う機能を有する。
【００４９】
第３の通信部１０５は、第３の所定の周波数帯域（例えば、１０ＧＨｚ帯域）を割り当てられた通信規格に基づく通信を行う機能を有する。
【００５０】
第２の電源管理部２０２は、商用電源から電力を供給され、第２の無線制御手段２０１の指示により、第４乃至第６の通信部２０３乃至２０５のそれぞれへの電力の供給または停止を行う。
【００５１】
第４の通信部２０３は、上記第１の所定の周波数帯域を割り当てられた通信規格に基づく通信を行う機能を有する。
【００５２】
第５の通信部２０４は、上記第２の所定の周波数帯域を割り当てられた通信規格に基づく通信を行う機能を有する。
【００５３】
第６の通信部２０５は、上記第３の所定の周波数帯域を割り当てられた通信規格に基づく通信を行う機能を有する。
【００５４】
次に、本実施形態の動作について説明する。
【００５５】
図３は、それぞれ異なる複数の周波数帯域を割り当てられた複数の通信規格に基づく複数の通信を開始する処理を示す流れ図である。
【００５６】
まず、第１の通信装置１００に電源が投入されると、第１の電源管理部１０２は、所定の通信部である第１の通信部１０３のみに電力を供給し、第２および第３の通信部１０４および１０５には電力を供給しない。また、第２の通信装置２００に電源が投入されると、第２の電源管理部２０２は、所定の通信部である第４の通信部２０３のみに電力を供給し、第５および第６の通信部２０４および２０５には電力を供給しない。
【００５７】
今、このような状態で、第１の通信装置１００と第２の通信装置２００との間では、第１の通信部１０３と第４の通信部２０３とを介して、上記第１の所定の周波数帯域を割り当てられた通信規格に基づく通信のみが行われているものとする。
【００５８】
図３を参照すると、このとき、第１の通信装置１００の利用者が、上記第２の所定の周波数帯域を割り当てられた通信規格に基づく通信も行いたいと希望した場合には、利用者は第１の通信装置１００に含まれる入力手段（図示しない）に、上記第２の所定の周波数帯域を割り当てられた通信規格に基づく通信の開始指示を入力する。そして、上記入力手段は、第１の無線制御手段１０１にその旨を指示する（ステップＳ１０１）。
【００５９】
その指示を受けた第１の無線制御手段１０１は、第１の通信部１０３および第４の通信部２０３を介して第２の無線制御手段２０１に、上記第２の所定の周波数帯域を割り当てられた通信規格に基づく通信の開始を要求する通信開始信号を送信する（ステップＳ１０２）とともに、第１の電源管理部１０２に第２の通信部１０４への電力の供給を開始させる。
【００６０】
当該通信開始信号を受信した第２の無線制御手段２０１は、第２の電源管理部２０２に第５の通信部２０４への電力の供給を開始させる（ステップＳ１０３）。
【００６１】
この結果、第１の通信装置１００と第２の通信装置２００との間では、第２の通信部１０４と第５の通信部２０４とを介して、上記第２の所定の周波数帯域を割り当てられた通信規格に基づく通信も行われるようになる。
【００６２】
こうして、第１の通信装置１００と第２の通信装置２００との間では、上記第１の所定の周波数帯域を割り当てられた通信規格に基づく通信および上記第２の所定の周波数帯域を割り当てられた通信規格に基づく通信が同時に行われるようになる（ステップＳ１０４）。
【００６３】
なお、上記の例では、上記第１の所定の周波数帯域を割り当てられた通信規格に基づく通信に加えて、上記第２の所定の周波数帯域を割り当てられた通信規格に基づく通信も行う場合を示したが、さらに、上記第３の所定の周波数帯域を割り当てられた通信規格に基づく通信も行うようにすることも可能である。
【００６４】
その場合には、第１の無線制御手段１０１が、第１の通信部１０３および第４の通信部２０３を介して第２の無線制御手段２０１に、上記第２の所定の周波数帯域を割り当てられた通信規格に基づく通信の開始と上記第３の所定の周波数帯域を割り当てられた通信規格に基づく通信の開始とを要求する通信開始信号を送信するとともに、第１の電源管理部１０２に第２および第３の通信部１０４および１０５への電力の供給を開始させる。
【００６５】
一方、当該通信開始信号を受信した第２の無線制御手段２０１は、第２の電源管理部２０２に第５のおよび第６の通信部２０４および２０５への電力の供給を開始させる。
【００６６】
こうして、第１の通信装置１００と第２の通信装置２００との間では、上記第１の所定の周波数帯域を割り当てられた通信規格に基づく通信と上記第２の所定の周波数帯域を割り当てられた通信規格に基づく通信と上記第３の所定の周波数帯域を割り当てられた通信規格に基づく通信とが同時に行えるようになる。
【００６７】
図４は、それぞれ異なる複数の周波数帯域を割り当てられた複数の通信規格に基づく複数の通信中に、ある一つの周波数帯域の通信を停止させる処理を示す流れ図である。
【００６８】
まず、第１の通信装置１００と第２の通信装置２００との間で、上記第１の所定の周波数帯域を割り当てられた通信規格に基づく通信と上記第２の所定の周波数帯域を割り当てられた通信規格に基づく通信と上記第３の所定の周波数帯域を割り当てられた通信規格に基づく通信とが行われているものとする。
【００６９】
図４を参照すると、このとき、第１の通信装置１００の利用者が上記第２の所定の周波数帯域を割り当てられた通信規格に基づく通信を止めることを希望した時には、利用者は、第１の通信装置１００に含まれる入力手段（図示しない）に、上記第２の所定の周波数帯域を割り当てられた通信規格に基づく通信の停止指示を入力する。そして、上記入力手段は、第１の無線制御手段１０１にその旨を指示する（ステップＳ２０１）。
【００７０】
その指示を受けた第１の無線制御手段１０１は、第１の通信部１０３および第４の通信部２０３を介して第２の無線制御手段２０１に、上記第２の所定の周波数帯域を割り当てられた通信規格に基づく通信の停止を要求する通信停止信号を送信する（ステップＳ２０２）とともに、第１の電源管理部１０２に第２の通信部１０４への電力の供給を停止させる。
【００７１】
当該通信停止信号を受信した第２の無線制御手段２０１は、第２の電源管理部２０２に第５の通信部２０４への電力の供給を停止させる（ステップＳ２０３）。
【００７２】
この結果、第１の通信装置１００と第２の通信装置２００との間では、上記第１の所定の周波数帯域を割り当てられた通信規格に基づく通信および上記第３の所定の周波数帯域を割り当てられた通信規格に基づく通信のみが行われるようになる（ステップＳ２０４）。
【００７３】
なお、上記の例では、上記第２の所定の周波数帯域を割り当てられた通信規格に基づく通信を止める場合を示したが、上記第２の所定の周波数帯域を割り当てられた通信規格に基づく通信に加えて、上記第３の所定の周波数帯域を割り当てられた通信規格に基づく通信も停止するようにすることも可能である。
【００７４】
その場合には、第１の無線制御手段１０１が、第１の通信部１０３および第４の通信部２０３を介して第２の無線制御手段２０１に、上記第２の所定の周波数帯域を割り当てられた通信規格に基づく通信の停止と上記第３の所定の周波数帯域を割り当てられた通信規格に基づく通信の停止とを要求する通信停止信号を送信するとともに、第１の電源管理部１０２に第２および第３の通信部１０４および１０５への電力の供給を停止させる。
【００７５】
一方、当該通信停止信号を受信した第２の無線制御手段２０１は、第２の電源管理部２０２に第５のおよび第６の通信部２０４および２０５への電力の供給を停止させる。
【００７６】
その結果、第１の通信装置１００と第２の通信装置２００との間では、上記第１の所定の周波数帯域を割り当てられた通信規格に基づく通信のみが行われるようになる。
【００７７】
また、本実施形態では、１つの第１の通信装置１００が設けられているが、複数の第１の通信装置が設けてられていてもよい。その場合には、例えば、以下のように、本実施形態の構成および動作に変更を加えればよい。
【００７８】
すなわち、第２の通信装置２００内の第４乃至第６の通信部２０３乃至２０５と一対一対応に、それらの通信部を通信に使用している第１の通信装置を特定する特定情報を第２の無線制御手段２０１に記憶するようにし（例えば、ある第１の通信装置から当該通信装置を特定する特定情報を含む通信開始信号を受信した時に、該通信開始信号で指定される通信規格に対応する通信部と対応づけて該通信開始信号に含まれる特定信号を記憶し、その後、他の第１の通信装置から同じ通信規格を指定する通信開始信号を受信した時には、当該他の第１の通信装置を特定する特定情報も当該通信部と対応づけて記憶する）、第２の通信装置２００が、ある第１の通信装置から該第１の通信装置を特定する情報を含む通信停止信号を受信した場合に、該通信停止信号で指定される通信規格に対応する第２の通信装置内の通信部に対応づけて記憶されている上記特定情報を調べる。
【００７９】
その結果、該通信停止信号を送信した第１の通信装置以外の他の第１の通信装置を特定する特定情報が記憶されているときには（すなわち、該通信停止信号を送信した第１の通信装置以外の他の第１の通信装置が、該通信停止信号で指定される通信規格に対応する通信部を通信に使用している）、該通信停止信号で指定される通信規格に対応する通信部への電力の供給は継続するともに、該通信停止信号を送信した第１の通信装置を特定する特定情報を削除し、一方、該通信停止信号を送信した第１の通信装置以外の第１の通信装置を特定する特定情報が記憶されていないときには、該通信停止信号で指定される通信規格に対応する通信部への電力の供給を停止するともに、該通信停止信号を送信した第１の通信装置を特定する特定情報を削除する。
【００８０】
なお、上記特定情報は、第１の通信装置のある通信部と第２の通信装置のある通信部との通信時に設定される通信回線を識別する情報であってもよい。
【００８１】
以上、本実施形態では、それぞれ異なる周波数帯域を割り当てられた複数の通信規格に基づく複数の通信を行うための複数の通信部を備えた通信装置において、当該複数の通信部のうちの１つまたは複数を任意に選択して通信を行うことが可能である。その理由は、第１の無線制御手段１０１および第２の無線制御手段２０１が、ある周波数帯域を割り当てられた通信規格に基づく通信の開始を要求する通信開始信号を受信すると、第１の電源管理部１０２および第２の電源管理部２０２に、当該周波数帯域を割り当てられた通信規格に対応した通信部への電力の供給を開始させるからである。
【００８２】
また、本実施形態では、通信に使用していない通信部の電力消費を低減できるという効果がある。その理由は、第１の無線制御手段１０１および第２の無線制御手段２０１が、ある周波数帯域を割り当てられた通信規格に基づく通信の停止を要求する通信停止信号を、給電されている通信部から受信すると、第１の電源管理部１０２および第２の電源管理部２０２に、当該周波数帯域を割り当てられた通信規格に対応した通信部への電力の供給を停止させるようにしたからである。
【００８３】
さらに、本実施形態では、第１の実施形態と同様に、利用者が屋内外で利用可能な周波数帯域を容易に選択可能であるという効果が得られる。
【００８４】
なお、本発明は上述した実施形態に限定されるものではなく、その実施に際して様々な変形が可能である。
【００８５】
例えば、上述した実施形態の一部または全部は、以下の付記のようにも記載されうるが、以下の付記に限定されるものではない。
（付記１）
複数の帯域に対応する複数のアンテナと、
前記アンテナそれぞれに対応する通信部と、
前記通信部に対し個別に給電可能な管理部と、
特定のアンテナに対応する通信部に給電している状態において、指示信号を取得すると、前記指示信号に基づいて、前記管理部に他のアンテナに対応する通信部に対し給電を行わせる制御手段と
を備える通信装置。
（付記２）
前記指示信号は、前記給電を開始する信号である、付記１に記載の通信装置。
（付記３）
複数の帯域に対応する複数のアンテナと、
前記アンテナそれぞれに対応する通信部と、
前記通信部に対し個別に給電可能な管理部と、
特定のアンテナに対応する通信部に給電している状態において、指示信号を取得すると、前記指示信号に基づいて、前記管理部に他のアンテナに対応する通信部に対し給電の停止を行わせる制御手段と
を備える通信装置。
（付記４）
前記指示信号は、前記給電を停止する信号である、付記３に記載の通信装置。
（付記５）
前記指示信号は、前記制御手段より送出指示を受けた信号である、付記１乃至４のいずれかに記載の通信装置。
（付記６）
前記指示信号は、前記アンテナより取得した信号である、付記１乃至４のいずれかに記載の通信装置。
（付記７）
前記制御手段は、前記指示信号を取得すると、前記取得元の通信装置以外の装置との通信状況に応じて、前記通信部への給電停止有無を決定する、付記３または４のいずれかに記載の通信装置。
（付記８）
前記制御手段は、前記管理部を制御し、予め定めた時間の間通信を行っていない前記通信部に対し、前記管理部に給電の停止を行わせる、付記１乃至６のいずれかに記載の通信装置。
（付記９）
前記管理部から給電されている前記通信部のうち、少なくとも２つの前記通信部から、それぞれ異なるデータまたは同一のデータを送信する、付記１乃至８のいずれかに記載の通信装置。
（付記１０）
複数の帯域に対応する複数の第１のアンテナと、
前記アンテナそれぞれに対応する第１の通信部と、
前記第１の通信部に対し個別に給電可能な第１の管理部と、
特定の帯域を指定する指示信号の送信を、前記第１の管理部から給電されている前記第１の通信部に行わせるとともに、当該帯域に対応する前記第１のアンテナに対応する前記第１の通信部への給電を前記第１の管理部に行わせる第１の制御手段と
を含む第１の通信装置と、
複数の帯域に対応する複数の第２のアンテナと、
前記アンテナそれぞれに対応する第２の通信部と、
前記第２の通信部に対し個別に給電可能な第２の管理部と、
前記指示信号を送信した前記第１の通信部に対応する前記第２の通信部により受信された前記指示信号により指定される前記帯域に対応する前記第２の通信部への給電を前記第２の管理部に行わせる第２の制御手段と
を含む第２の通信装置と、
から構成される通信システム。
（付記１１）
前記指示信号は、前記給電を開始する信号である、付記１０に記載の通信システム。
（付記１２）
複数の帯域に対応する複数の第１のアンテナと、
前記アンテナそれぞれに対応する第１の通信部と、
前記通信部に対し個別に給電可能な第１の管理部と、
特定の帯域を指定する指示信号の送信を、前記第１の管理部から給電されている前記第１の通信部に行わせるとともに、当該帯域に対応する前記第１のアンテナに対応する前記第１の通信部への給電の停止を前記第１の管理部に行わせる第１の制御手段と
を含む第１の通信装置と、
複数の帯域に対応する複数の第２のアンテナと、
前記アンテナそれぞれに対応する第２の通信部と、
前記通信部に対し個別に給電可能な第２の管理部と、
前記指示信号を送信した前記第１の通信部に対応する前記第２の通信部により受信された前記指示信号により指定される前記帯域に対応する前記第２の通信部への給電の停止を前記第２の管理部に行わせる第２の制御手段と
を含む第２の通信装置と、
から構成される通信システム。
（付記１３）
前記指示信号は、前記給電を停止する信号である、付記１２に記載の通信システム。
（付記１４）
前記第２の制御手段は、前記指示信号を取得すると、前記受信元の通信装置以外の装置との通信状況に応じて、前記第２の通信部への給電停止有無を決定する、付記１２乃至１３のいずれかに記載の通信システム。
【符号の説明】
【００８６】
１０    通信装置
１１    無線制御手段
１２    電源管理部
１３    第１の通信部
１４    第２の通信部
１５    第３の通信部
１６    アンテナ
１７    アンテナ
１８    アンテナ
１００    第１の通信装置
１０１    第１の無線制御手段
１０２    第１の電源管理部
１０３    第１の通信部
１０４    第２の通信部
１０５    第３の通信部
２００    第２の通信装置
２０１    第２の無線制御手段
２０２    第２の電源管理部
２０３    第４の通信部
２０４    第５の通信部
２０５    第６の通信部
【図１】
2015159475.tif 000003
【図２】
2015159475.tif 000004
【図３】
2015159475.tif 000005
【図４】
2015159475.tif 000006